(57)【特許請求の範囲】
【請求項１】
変圧器タップ巻線のタップに接続された複数の固定接点と、この固定接点に接触する負荷電流通電用可動接点と、前記固定接点に接触し、タップ間短絡時の循環電流を通電する循環電流通電用可動接点とを備え、前記負荷電流通電用可動接点には第１の真空バルブを、また前記循環電流通電用可動接点には循環電流を抑制する限流抵抗と第２の真空バルブとを直列接続し、前記負荷電流通電用可動接点及び循環電流通電用可動接点は同一固定接点に接触して並列回路を形成し、タップ切換を行う際には、循環電流を抑制する限流抵抗を接続した循環電流通電用可動接点が同一正方向切換、また逆方向切換においても常に前記負荷電流通電用可動接点より先に切換動作を行い、隣接するタップに接続された固定接点に接触するように構成してなる負荷時タップ切換器において、
原動側駆動部と、この原動側駆動部により前記負荷電流通電用可動接点に早切動作を行わせるための静止エネルギを蓄積する蓄勢装置と、前記原動側駆動部に連結されて駆動され前記蓄勢装置に所定の静止エネルギが蓄積されるまでの動作中に前記循環電流通電用可動接点を隣接する固定接点に緩慢動作により移動させる第２の間欠歯車機構と、前記蓄勢装置の従動側に連結され前記蓄勢装置に蓄積された静止エネルギの放勢により前記負荷電流通電用可動接点を早切動作させる第１の間欠歯車機構と、前記蓄勢装置の従動側に連結され前記静止エネルギの放勢により前記第１及び第２の真空バルブを所定の順序で開閉動作させるカム機構とを備えたことを特徴とする負荷時タップ切換器。
【発明の詳細な説明】
【０００１】
【発明の属する技術分野】
本発明は変圧器の負荷時タップ切換器において、特に１個の限流抵抗と２個の真空バルブを用いた負荷時タップ切換器の改良に関する。
【０００２】
【従来の技術】
２個の可動接点と１個の限流抵抗と２個の真空バルブを用いて変圧器のタップ巻線を切換える負荷時タップ切換器としては、既に特公昭６１−４５８４５号及び特開平２−１２８４１０号公報に示されている回路方式のものがある。
【０００３】
これらの方式は限流抵抗と真空バルブに直列接続された可動接点と、真空バルブに直列接続された可動接点は機械的に固定された構造がとられており、タップ巻線のタップに接続された隣接する固定接点に先行して接触する可動接点は切換方向によって各々異なっている。そして、何ずれもこの切換動作は早切り動作で隣接する固定接点を次々と選択して切換動作が行えるようになっている。
【０００４】
図１６及び図１７は、特公昭６１−４５８４５号公報に示されている方式の構成を示すものである。図１６及び図１７において、６１〜６４はタップ巻線６９より導出されたタップ６５〜６８に接続された固定接点である。
【０００５】
また、７０は接点担体で、この接点担体７０には固定接点６１〜６４に対して転動しながら切換動作する２個のローラ接点７３，７４がスプリング８０，８１を介して弾性的に保持されている。
【０００６】
さらに、接点担体７０に各ローラ接点７３，７４に対応させて真空スイッチ７５，７６が設けられ、この真空スイッチ７５，７６の接点突き棒７８，７９はそれぞれ対応するローラ接点７３，７４に連結されている。そして、一方の真空スイッチ７５の固定接点側が電流分岐点７１に接続され、他方の真空スイッチ７６の固定接点側は電流分岐回路７２に設けられた開閉抵抗器７７を介して電流分岐点７１に接続され、この電流分岐点７１に通電回路８２が接続されている。
【０００７】
次にかかる構成のタップ切換器の切換動作の各状態を図１６の（ａ）〜（ｃ）及び図１７（ａ）〜（ｆ）の順で説明する。
図１６（ａ）はタップ６６−ローラ接点７３−真空スイッチ７５を通して変圧器負荷電流が通電し、タップ６６の固定接点６２が選択されている状態である。
【０００８】
図１６（ｂ）は一方の真空スイッチ７６が開路する。
図１６（ｃ）はローラ接点７４がタップ６６の固定接点６２から開離する。
図１７（ａ）はローラ接点７４がタップ６７の固定接点６３に到達する。
【０００９】
図１７（ｂ）は真空スイッチ７６が閉路することにより、タップ６６，６７間に短絡回路が形成され、開閉抵抗器７７により制限された循環電流が流れる。負荷電流は依然として、タップ６６−ローラ接点７３−真空スイッチ７５の回路を流れる。
【００１０】
図１７（ｃ）は真空スイッチ７５が開路することにより、変圧器負荷電流がタップ６７−ローラ接点７４−真空スイッチ７６の回路に移動する。
図１７（ｄ）はローラ接点７３がタップ６６の固定接点６２から開離する。
【００１１】
図１７（ｅ）はローラ接点７３がタップ６７の固定接点６３に到達する。
図１７（ｆ）は真空スイッチ７５が閉路することにより、変圧器負荷電流がタップ６３−ローラ接点７３−真空スイッチ７５の回路に移動し、１タップ切換を完了する。すなわち、１タップ切換早切り動作の間に、ローラ接点７３，７４、真空スイッチ７５，７６の４つの接点が開閉することになる。また、上記の切換動作では抵抗側のローラ接点が先行動作したが、逆方向切換では他方のローラ接点が先行動作する。
【００１２】
一方、図１８は特開平２−１２８４１０号公報に示されている方式の構成を示すものである。図１８において、９１は負荷時タップ切換器で、この負荷時タップ切換器９１はタップ巻線９２より導出されたタップ接点９３に対応して２個の切換接点９６，９９を設け、その一方の接点９６に限流抵抗９５と真空スイッチ９７を直列接続し、他方の接点９９に真空スイッチ９８を接続し、これら真空スイッチ９７，９８を固定接点側を共通にしてすり接点１０２に接続し、このすり接点１０２にスリップリング１０３を介して回路網端子９２を接続する構成としてある。
【００１３】
このような構成のタップ切換器においても、前述した図１６に示すタップ切換器と同様に１早切動作中に４つの接点が開閉し、２つの切換え接点の内、正方向、逆方向切換において各々違った接点が先行動作する。
【００１４】
【発明が解決しようとする課題】
ところで、このような従来の負荷時タップ切換器において、タップ巻線から導出されたタップに接続される固定接点はタップ点数に応じて同一平面上に配置されており、この接点間の角度は３６０°／ｎ（固定接点数）となる。
【００１５】
一般に９個の固定接点が円周に沿って等配で配置されるとすると、接点間の角度は４０°になる。
従って、前述したタップ切換器で固定接点間を切換えるには、２個の可動接点と２個の真空スイッチとをタップ切換順序で開閉する必要があり、また２個の真空スイッチは電流遮断を伴うため、消弧に必要な時間を確保する必要がある。
【００１６】
このため、前述の例の４０°の範囲で行わせるためには半径を大きくした位置に固定接点部を配置する必要があるため、大型化することは避けられない。
本発明は上記のような事情に鑑みてなされたもので、タップ巻線に接続される固定接点が円周に沿って等配で配置する場合、その半径方向を小さくすることができ、もって全体をコンパクトにまとめることができる負荷時タップ切換器を提供することを目的とする。
【００１７】
【課題を解決するための手段】
本発明は上記のような目的を達成するため、次のような手段により負荷時タップ切換器を構成するものである。
請求項１に対応する発明は、変圧器タップ巻線のタップに接続された複数の固定接点と、この固定接点に接触する第１の負荷電流通電用可動接点と、前記固定接点に接触し、タップ間短絡時の循環電流を通電する第２の可動接点とを備え、前記第１の可動接点には第１の真空バルブを、また前記第２の可動接点には循環電流を抑制する限流抵抗と第２の真空バルブとを直列接続し、前記第１及び第２の可動接点は同一固定接点に接触して並列回路を形成し、タップ切換を行う際には、循環伝量を抑制する限流抵抗を接続した第２の可動接点が同一正方向切換、また逆方向切換えにおいても常に前記第１の通電用可動接点より先に切換動作を行い、隣接するタップに接続された固定接点に接触するように構成してなる負荷時タップ切換器において、原動側駆動部と、この原動側駆動部により前記第１の可動接点に早切動作を行わせるための静止エネルギを蓄積する蓄勢装置と、前記原動側駆動部に連結されて駆動され前記蓄勢装置に所定の静止エネルギが蓄積されるまでの動作中に前記第２の可動接点を隣接する固定接点に移動させる第２の間欠歯車機構と、前記蓄勢装置の従動側に連結され前記蓄勢装置に蓄積された静止エネルギの放勢により前記第１の可動接点を早切動作させる第１の間欠歯車機構と、前記蓄勢装置の従動側に連結され前記静止エネルギの放勢により前記第１及び第２の真空バルブを所定の順序で開閉動作させるカム機構とを備える。
【００２２】
【発明の実施の形態】
以下本発明の実施の形態を図面を参照して説明する。
図１は本発明による負荷時タップ切換器の実施の形態の具体的な構成を示す斜視図である。図１において、１は電動機で、この電動機１の回転軸にはピニオン２が直結されている。３は軸５に取付けられ、ピニオン２と噛合して電動機１のトルクが伝達される歯車で、この歯車３には中心軸から若干外れた適宜位置にピン６が軸端方向に向けて取付けられると共に、このピン６と反対側の周面の適宜位置にピン９が取付けられている。
【００２３】
また、軸５の一端部には歯車３の回動によりピン６に押圧されて回動するアーム４の一端部が取付けられ、このアーム４の他端部に引張バネ７の一端が取付けられ、その他端は支点ピン８により図示しない固定部材に支持されている。この引張バネ７はアーム４の回動によりバネ力が蓄勢され、所定蓄勢量に達すると瞬発的にそのエネルギを放勢するものである。
【００２４】
さらに、軸５の他端部にはピン係合部を有するセグメント２０が取付けられ、このセグメント２０に対応させてドライバー２２を設けると共に、このドライバー２２は軸５と同一軸方向に配設された絶縁駆動軸２４の一端部に取付けられている。このドライバー２２にはセグメンクト２０の係合部と係合するピン２１が取付けられると共に、このピン２１と反対側にピン２３が取付けられている。
【００２５】
また、絶縁駆動軸２４の他端側には溝カム３０が取付けられている。この溝カム３０は、第１の真空バルブ３１（Ｖ１）及び第２の真空バルブ３２（Ｖ２）を所定の順序で駆動レバー３４及び３３を介して開閉させるためのカム溝３５（主用）及びカム溝３６（抵抗用）がそれぞれ形成されている。
【００２６】
この場合、セグメンクト２０の係合部にピン２１が係合してドライバー２２が回動し、そのトルクが絶縁駆動軸２４に伝達されて溝カム３０が回動すると、カム溝３５，３６と係合する駆動レバー３３，３４がカム溝の上方変位、下方変位に移動することにより、各々の真空バルブ３２，３１が開閉動作可能な構成となっている。
【００２７】
一方、２００は第２の可動接点４４（Ｍ２）を駆動するためのトルクを伝達する第２の間欠歯車機構であり、この第２の間欠歯車機構２００は絶縁駆動軸１１の一端部に取付けられ、前述した歯車３に取付けられたピン９と噛合い駆動されるゼネバギヤ１０により構成される。前記絶縁駆動軸１１の他端部にはアーム４２の一端が取付けられ、その他端に第２の可動接点４４（Ｍ２）が取付けられている。
【００２８】
この場合、ゼネバギア１０の回動が絶縁駆動軸１１を介してアーム４２に伝達されると、このアーム４２に取付けられた第２の可動接点４４（Ｍ２）が絶縁駆動軸１１を中心に回動し、固定接点４６間を切換動作できるようになっている。
【００２９】
また、１００は第１の可動接点４５（Ｍ１）を駆動するためのトルクを伝達する第１の間欠歯車機構であり、この第１の間欠歯車機構１００は絶縁駆動軸１１と同軸的に配置されたパイプ状の絶縁軸２６の端部に取付けられ、ドライバー２２に取付けられたピン２３と係合してドライバー２２のトルクが伝達されると回動するゼネバギヤ２５により構成される。前記絶縁軸２６の他端側にはアーム４３の一端が取付けられ、その他端に第１の可動接点４３（Ｍ１）が取付けられている。
【００３０】
この場合、ゼネバギア２５の回動が絶縁軸２６を介してアーム４３に伝達されると、このアーム４３に取付けられた第１の可動接点４３（Ｍ１）が絶縁軸２６を中心に回動し、固定接点４６間を切換動作できるようになっている。
【００３１】
なお、図中４０は第２の可動接点４４と接触する集電リング、４１は第１の可動接点４３と接触する集電リングである。
次に上記のように構成された負荷時タップ切換器の切換動作を図２及び図３を用いて説明する。
【００３２】
図２は切換動作過程の回路を順を追って示すものであり、図３はその切換シーケンスを示すものである。
図２において、ＴＷはタップ巻線、Ｔ１，Ｔ２は隣合うタップ、Ｍ１はタップ選択器の第１の可動接点、Ｍ２は第２の可動接点、Ｖ１は第１の真空バルブ、Ｖ２は第２の真空バルブをそれぞれ示している。
【００３３】
タップＴ１からＴ２への切換時
（１）タップ選択器Ｍ１，Ｍ２がタップＴ１を選択し、第１の真空バルブＶ１が閉路し、第２の真空バルブＶ２が開路している状態を示している。負荷電流はＴ１−Ｍ１−Ｖ１の回路を流れる。
（２）タップ選択器の第２の可動接点Ｍ２がタップＴ１からタップＴ２へ移動する。
（３）第２の真空バルブＶ２が閉路し、タップＴ１，Ｔ２間の短絡回路が形成され、限流抵抗Ｒにより抑制された循環電流が流れる。
（４）第１の真空バルブＶ１が開路し、負荷電流をＴ１側の回路からＴ２側の回路に移す。
（５）タップ選択器の第１の可動接点Ｍ１がタップＴ１からタップＴ２へ移動する。
（６）第１の真空バルブＶ１が閉路し、負荷電流をＴ２−Ｍ１−Ｖ１の回路に移す。
（７）第２の真空バルブＶ２が開路する。
【００３４】
タップＴ２からＴ１への切換時
（８）〜（１３）に示すようにタップＴ１からＴ２への切換時と同様に第２の可動接点（Ｍ２）の切換が先行して、第１の可動接点（Ｍ１）の切換がこれに追従する。その他駆動機構の連動、切換えシーケンス等についてもタップＴ１からＴ２切換時に比較して特に変わるところがないので、ここではその説明を省略する。
【００３５】
次に１タップ切換動作の詳細について、図４乃至図１５を用いて説明する。
図４乃至図６は蓄勢機構によりゼネバギヤを介してタップ選択器の可動接点が切換えられる状況を示している。以下切換動作を順を追って説明する。
【００３６】
図４の（ａ）（ｂ）は初期状態を示す。
この状態のときは引張バネ７は蓄勢されていない。
図４の（ｃ）（ｄ）は蓄勢動作開始、抵抗接点切換動作開始の状態を示す。
【００３７】
歯車３の回転によりピン６、ピン９が同時に回動し、ピン６がアーム４を回動させ、引張バネ７が蓄勢を始めると共に、ピン９がゼネバギヤ１０と噛み合い始め、タップ選択器の第２の可動接点４４（Ｍ２）を固定接点（タップＴ８）から開離させる。
【００３８】
図５の（ａ）（ｂ）は蓄勢動作中、抵抗接点切換動作開始の状態を示す。
歯車３がさらに回動を続けると同時にピン６がアーム４をさらに回動させ、蓄勢動作を進行させる。また、ピン９がさらに回動し、ゼネバギヤ１０との噛合いから開離した時点で、第２の可動接点４４（Ｍ２）が固定接点（タップＴＯ）に完全に投入され、抵抗接点の切換を終了する。
【００３９】
図５の（ｃ）（ｄ）は蓄勢動作終了の状態を示す。
歯車３がさらに回動を続けると同時にピン６がアーム４をさらに回動させ、初期状態からの回動角度が１８０°となった時点で引張バネ７の蓄勢量が最大となり、蓄勢動作を終了する。
【００４０】
図６の（ａ）（ｂ）はスナップ動作開始、主接点切換動作開始状態を示す。
蓄勢動作が終了後、引張バネ７が放勢するとアーム４がピン６から離れ、引張バネ７の引張力により急速に回転を始める。アーム４の回動により、セグメント２０がピン２１を回動させ始め、それに伴いドライバー２２を介してピン２３がゼネバギヤ２５と噛合い始め、第１の可動接点４５（Ｍ１）を固定接点４６（タップＴ８）から開離させる。
【００４１】
図６の（ｃ）（ｄ）はスナップ動作終了、主接点切換動作終了状態を示す。
引張バネ７の引張力によりアーム４がさらに回動し、ピン２３が第１のゼネバギヤ２５との噛合いから開離した時点で、第１の可動接点４５（Ｍ１）が完全に固定接点４６に投入され、主接点の切換動作を終了する。
【００４２】
図７乃至図９は図４乃至図６の正方向切換動作に対し、逆方向の切換動作を示しているが、図４乃至図６と同様に第２の可動接点（Ｍ２）の切換が先行して、第１の可動接点（Ｍ１）の切換がこれに追従する以外の切換シーケンス、駆動機構の連動等、正方向切換に比較して特に変わるところがないので、ここではその説明を省略する。
【００４３】
次に１タップ切換動作の過程で、蓄勢動作終了時点から、主接点切換動作終了までを図１０乃至図１５を用いて詳細に説明する。
図１０乃至図１５（ａ）は切換動作過程の回路を示している。
【００４４】
図１０乃至図１５（ｂ）はカムによる真空バルブの開閉動作を示している。
溝カム３０のカム溝３５，３６は、図のような形状に構成され、真空バルブに連結されたローラ３７，３８がカム溝３５，３６の上方変位の時は真空バルブを開路せしめ、逆に下方変位の時は真空バルブを閉路せしむるように作用する。
【００４５】
図１０（ｃ）乃至図１５（ｃ）は蓄勢装置によりゼネバギヤ２５を介して第１の可動接点４５（Ｍ１）が切換えられる状態を示している。
引張バネ７の動作により、アーム４を介してセグメント２０が回転する。セグメント２０の回転によりピン２１が回転し、ドライバー２２を介してピン２３が同時に回転する。ピン２３が第１のゼネバギヤ２５と噛合うことにより、絶縁軸２６を回転させ、タップ選択器の第１の可動接点４５（Ｍ１）をタップＴ８からタップＴ０へ切換動作させる。
【００４６】
ここで、図１０乃至図１５について順を追って説明する。
図１０（ａ）〜（ｃ）は、引張バネ７の蓄勢動作が完了した状態を示すと共に、タップ巻線のタップＴ８をタップ選択器の第１の可動接点４５（Ｍ１）が選択した状態を示している。
【００４７】
第１の真空バルブ３１（Ｖ１）が閉じ、タップＴ８、第１の可動接点４５（Ｍ１）、第１の真空バルブ３１（Ｖ１）を通して図中太線の通り、変圧器負荷電流が通電されている。
【００４８】
ローラ３８は、カム溝３６の下方位置にあり、第１の真空バルブ３１（Ｖ１）を閉路せしめている。一方、ローラ３７はカム溝３５の上方変位の位置にあり、第２の真空バルブ３２（Ｖ２）を開路させている。
【００４９】
図１１（ａ）〜（ｃ）は、第２の真空バルブ３２（Ｖ２）が閉路した状態を示している。
引張バネ７の動作により、アーム４、セグメント２０、ピン２１を介してドライバー２２が回動し、更にドライバーに直結した絶縁駆動軸２４を駆動させることにより、溝カム３０が回動を始め、図示するようにローラ３７がカム溝３５の上方変位から下方変位に移動して、第２の真空バルブ３２（Ｖ２）を閉路させている。第２の真空バルブ３２の閉路に伴い、タップＴ８，Ｔ０間に短絡回路が形成され、限流抵抗により抑制された循環電流が流れる。変圧器負荷電流は引続きＴ８−Ｍ１−Ｖ１側回路を流れる。
【００５０】
図１２（ａ）〜（ｃ）は、第１の真空バルブ３１（Ｖ１）が開路し、変圧器負荷電流を遮断すると同時に負荷電流がタップＴ８側の回路からタップＴ０側の回路に移った状態を示している。
【００５１】
引張バネ７の動作によりドライバー２２を介して溝カム３０が回動を更に続けると、ローラ３８はカム溝３６の下方変位から上方変位に移動して第１の真空バルブ３１（Ｖ１）を開路させると同時に変圧器負荷電流、循環電流を遮断して、Ｔ０−Ｍ２−Ｒ−Ｖ２側の回路に移す。また引張バネの引張力がアーム４、セグメント２０、ピン２１を介してドライバー２２のピン２３を回動させ、ゼネバギヤ２５を駆動し始める。このゼネバギヤ２５の駆動により、絶縁軸２６を介してタップ選択器の第１の可動接点４５（Ｍ１）をタップＴ８から開離させ始める。
【００５２】
図１３（ａ）〜（ｃ）は、タップ選択器の第１の可動接点４５（Ｍ１）がタップＴ８から開離し、タップＴ８とタップＴ０との中間位置に達した状態を示している。
【００５３】
タップ選択器の第１の可動接点４５（Ｍ１）がタップＴ８から開離し、タップＴ８とタップＴ０との中間位置に達した状態を示している。
引張バネ７の動作によりドライバー２２が引続き回動を続け、同時にピン２３を回動させることにより、第１の固定接点４５（Ｍ１）を第１の間欠歯車機構１００を介してタップＴ８とタップＴ０の中間位置に到達させる。この間、ローラ３７，３８はカム溝３５，３６の水平位置を移動しているため、第１の真空バルブ３１（Ｖ１）、第２の真空バルブ３２（Ｖ２）は開離、閉路を維持しており、変圧器負荷電流は引続きＴ０−Ｍ２−Ｒ−Ｖ２側の回路を流れる。
【００５４】
図１４（ａ）〜（ｃ）は、タップ選択器の第１の可動接点４５（Ｍ１）がＴ０に到達し、続いて第１の真空バルブ３１（Ｖ１）が閉路し、変圧器負荷電流が第１の真空バルブＶ１側の回路に移動した状態を示している。
【００５５】
引張バネ７の動作によりドライバー２２が引続き回動を続け、第１の間欠歯車機構１００を駆動してタップ選択器の第１の可動接点４５（Ｍ１）をさらに回転させてタップＴ０に到達させる。この際、第１の真空バルブ３１（Ｖ１）が開路しているため無負荷、無電圧状態での投入となり発弧は伴わない。さらにドライバー２２を介して溝カム３０が回動を続けると、ローラ３８はカム溝３６の上方変位から下方変位に移動して第１の真空バルブ３１（Ｖ１）を閉路させると同時に変圧器負荷電流をＴ０−Ｍ２−Ｒ−Ｖ２側の回路からＴ０−Ｍ１−Ｖ１側の回路に移動させる。
【００５６】
図１５（ａ）〜（ｃ）は、第２の真空バルブ３２（Ｖ２）が開路した状態を示している。
引張りバネ７の動作により溝カム３０が引続き回動を続けると、ローラ３７がカム溝３５の下方変位から上方変位に移動して第２の真空バルフブ３２（Ｖ２）を開路させる。この間、負荷電流は引続きＴ０−Ｍ１−Ｖ１側の回路を流れる。
【００５７】
このように本実施の形態では、２つの可動接点の内、限流抵抗Ｒと第２の真空バルブＶ２に直列接続された第２の可動接点Ｍ２のみを早切動作に先立ち先行して切換させ、切換完了した後に他方の第１の可動接点Ｍ１と２戸の真空バルブＶ１，Ｖ２を所定の順序で早切動作させるように構成したので、タップ選択器が固定接点間を移動する間に開閉すべき接点が３つとなり、従来に比較して接点数を減らすことができる。従って、固定接点部が従来に比較して半径方向を小さくすることができ、全体がコンパクト、低価格でより実用的な構成となし得る。
【００６０】
【発明の効果】
以上述べたように本発明によれば、タップ巻線に接続される固定接点が円周に沿って等配で配置する場合、その半径方向を小さくすることができ、もって全体をコンパクトにまとめることができる負荷時タップ切換器を提供できる。
【図面の簡単な説明】
【図１】本発明による負荷時タップ切換器の実施の形態の具体的な構成を示す斜視図。
【図２】同実施の形態における切換動作過程を示す回路図。
【図３】同実施の形態における切換シーケンスを示す図。
【図４】同実施の形態において、蓄勢機構により第２の間欠歯車機構及び第１の間欠歯車機構を介してタップ選択器の抵抗用可動接点及び主用可動接点が正方向に切換えられる状況の初期状態から蓄勢動作開始、抵抗接点切換動作開始の状態を示す説明図。
【図５】同じく蓄勢動作中、抵抗接点切換動作開始の状態から蓄勢動作終了の状態を示す説明図。
【図６】同じくスナップ動作開始、主接点切換動作開始状態からスナップ動作終了、主接点切換動作終了状態を示す説明図。
【図７】同実施の形態において、蓄勢機構により第２の間欠歯車機構及び第１の間欠歯車機構を介してタップ選択器の抵抗用可動接点及び主用可動接点が逆方向に切換えられる状況の初期状態から蓄勢動作開始、抵抗接点切換動作開始の状態を示す説明図。
【図８】同じく蓄勢動作中、抵抗接点切換動作開始の状態から蓄勢動作終了の状態を示す説明図。
【図９】同じくスナップ動作開始、主接点切換動作開始状態からスナップ動作終了、主接点切換動作終了状態を示す説明図。
【図１０】同実施の形態において、引張バネの蓄勢動作が完了した状態を示すと共に、タップ巻線のタップをタップ選択器の第１の可動接点が選択した状態を示す図。
【図１１】同じく第２の真空バルブが閉路した状態を示す図。
【図１２】同じく第１の真空バルブが開路し、変圧器負荷電流を遮断すると同時に負荷電流がタップ側の回路からタップ側の回路に移った状態を示す図。
【図１３】同じくタップ選択器の第１の可動接点がタップＴ８から開離し、タップＴ８とタップＴ０との中間位置に達した状態を示す図。
【図１４】同じくタップ選択器の第１の可動接点がタップＴ０に到達し、続いて第１の真空バルブが閉路し、変圧器負荷電流が第１の真空バルブ側の回路に移動した状態を示す図。
【図１５】同じく第２の真空バルブが開路した状態を示す図。
【図１６】従来の負荷時タップ切換器の構成並びにタップ切換動作過程の説明図。
【図１７】同じく図１６に続くタップ切換動作過程の説明図。
【図１８】従来の他の負荷時タップ切換器の構成を説明するための回路図。
【符号の説明】
１……電動機
２……ピニオン
３……歯車
４……アーム
５……軸
６，９……ピン
７……引張バネ
８……支点ピン
１０，２５……ゼネバギヤ
１１，２４……絶縁駆動軸
２０……セグメント
２２……ドライバ
２６……絶縁軸
３０……溝カム
３１，３２……真空バルブ
３３，３４……駆動レバー
３５，３６……カム溝
４０，４１……集電リング
４２，４３……アーム
４４，４５……可動接点
４６……固定接点
【図１】
0003836547.tif 000002
【図２】
0003836547.tif 000003
【図３】
0003836547.tif 000004
【図４】
0003836547.tif 000005
【図５】
0003836547.tif 000006
【図６】
0003836547.tif 000007
【図７】
0003836547.tif 000008
【図８】
0003836547.tif 000009
【図９】
0003836547.tif 000010
【図１０】
0003836547.tif 000011
【図１１】
0003836547.tif 000012
【図１２】
0003836547.tif 000013
【図１３】
0003836547.tif 000014
【図１４】
0003836547.tif 000015
【図１５】
0003836547.tif 000016
【図１６】
0003836547.tif 000017
【図１７】
0003836547.tif 000018
【図１８】
0003836547.tif 000019